(57)【要約】【課題】ユーザが希望するコンテンツをユーザが希望する順序で自動的に再生する、動作モードに遷移するとき、ユーザが動作モードの遷移を指示する手間を省けることを可能とした、コンテンツ録画再生装置を提供する。【解決手段】コンテンツを録画し、録画したコンテンツを再生するコンテンツ録画再生装置であって、ユーザが入力した操作履歴をもとにコンテンツ録画再生装置の動作モードを遷移させることを特徴とする。また、動作モードが遷移したとき、コンテンツが再生終了地点まで再生されると、ユーザが設定した検索範囲と再生順序に従って、記憶装置からコンテンツを読み出し自動的に再生する。【選択図】図１
2009010439.tif 000002
【特許請求の範囲】
【請求項１】
コンテンツを録画し、録画したコンテンツを再生するコンテンツ録画再生装置であって、
前記コンテンツ録画再生装置を操作する手段と、
コンテンツの再生信号を出力する手段と、
前記操作手段により入力された操作とコンテンツ録画再生装置に設定された基準情報とを比較して、コンテンツ録画再生装置の動作モードを非専念視聴モード、又は専念視聴モードに遷移させる手段を備えたことを特徴とするコンテンツ録画再生装置。
【請求項２】
請求項１に記載のコンテンツ録画再生装置において、
前記基準情報をコンテンツ録画時にコンテンツの持つ情報、又はコンテンツから抽出される特徴量をもとに算出した情報によって設定できる手段を備えたことを特徴とするコンテンツ録画再生装置。
【請求項３】
請求項１に記載のコンテンツ録画再生装置において、
動作モードが専念視聴モードから非専念視聴モードに遷移されたときに、自動的にコンテンツを読み出し再生する手段を備えたことを特徴とするコンテンツ録画再生装置。
【請求項４】
請求項１に記載のコンテンツ録画再生装置において、
コンテンツを再生したときの動作モードを記憶する手段を備えたことを特徴とするコンテンツ録画再生装置。
【請求項５】
請求項４に記載のコンテンツ録画再生装置において、
記憶した動作モードを用い、自動的に読み出し再生するコンテンツを検索する手段を備えたことを特徴とするコンテンツ録画再生装置。
【発明の詳細な説明】
【技術分野】
【０００１】
本発明はコンテンツ録画再生装置に関する。
【背景技術】
【０００２】
放送コンテンツを録画し、再生する装置としてハードディスクレコーダなどのコンテンツ録画再生装置が広く普及しつつある。従来のコンテンツ録画再生装置はＥＰＧ（Ｅｌｅｃｔｒｏｎｉｃ  Ｐｒｏｇｒａｍ  Ｇｕｉｄｅ）を利用して容易に録画可能であり、さらに大容量のハードディスクを生かして大量のコンテンツを蓄積可能である。
【０００３】
容易に録画できることによって、利用者はさほど興味がないが目を通しておきたいコンテンツを大量に録画するが、多くのコンテンツが未視聴である場合が考えられる。未視聴コンテンツの視聴方法の一つとして、視聴以外の作業をしながらコンテンツを視聴する、所謂「ながら視聴」が挙げられる。ユーザがコンテンツを視聴するとき、主たる作業が視聴である場合は専念視聴であり、主たる作業が別である場合は非専念視聴、すなわち「ながら視聴」である。通常、視聴するコンテンツを選択すると一つのコンテンツの再生しか行わないため、コンテンツ録画再生装置で「ながら視聴」を容易に行える手段を提供する必要がある。
【０００４】
特許文献１に記載された方法によれば、連続性のあるコンテンツの再生を一度開始すると、そのコンテンツの内容に関連のある別のコンテンツを連続して自動的に再生することができる。本方法により、利用者は簡単な操作で連続してコンテンツを視聴できる。また、特許文献２に記載された方法によれば、連続性や関連性のないコンテンツを視聴するときに、利用者がコンテンツを選択するため、再生する手間が生じるという課題を、連続性や関連性のないコンテンツであっても連続して自動的に再生するという方法で解決している。これらの方法を用いることによって、コンテンツを連続して自動再生することが可能になり、ユーザは「ながら視聴」を行うことが可能になる。
【０００５】
【特許文献１】特開平１１−２５２４９４号公報
【特許文献２】特開２００２−３４４８５０号公報
【発明の開示】
【発明が解決しようとする課題】
【０００６】
しかし、上記した従来の方法では、一つ目のコンテンツを再生した後に次のコンテンツを連続して自動再生するか否かについて指示する手段を有していない。特に、「ながら視聴」中は別の作業を行っていることが容易に想定されるため、ユーザがコンテンツ録画再生装置に対して明示的な指示を与えることは、ユーザの利便性を損なうものであり、「ながら視聴」を行う指示を暗示的に装置に伝えることが望ましい。また、「ながら視聴」を行っていたユーザがコンテンツに興味を示し、専念視聴に切り替えることも容易に想定されるため、そのような動作を明示的に、あるいは暗示的に指示する手段が必要とされる。
【０００７】
そこで、本発明ではユーザの利便性を損なうことなく、「ながら視聴」を容易に行えることができる、コンテンツ録画再生装置を提供することを目的とする。
【課題を解決するための手段】
【０００８】
上記課題を達成するため、本発明によるコンテンツ録画再生装置は、ユーザが「ながら視聴」をしているとき、すなわち「専念視聴」をしていないときに、ユーザが示す特徴的な行動に着目して、ユーザが「ながら視聴」をしているのか「専念視聴」をしているかを自動的に判断する手段と、それらを自動的に判断する基準をユーザが設定する手段と、「ながら視聴」をしていると判断したときにユーザが視聴したいコンテンツを連続して自動的に再生する手段と、「ながら視聴」するコンテンツを自動的に判断する手段と、「ながら視聴」するコンテンツを自動的に判断する基準をユーザが設定する手段と、ユーザが明示的に「ながら視聴」を行うための手段を有することを特徴とする。
【発明の効果】
【０００９】
ユーザが「ながら視聴」をしているのか「専念視聴」をしているかを自動的に判断して、コンテンツ録画再生装置の動作モードを切り替えることにより、ユーザは利便性を損なうことなく、「ながら視聴」を行うことができる。
【発明を実施するための最良の形態】
【００１０】
以下、図面を参照しながら本発明の実施例について説明する。図１に、本実施形態に係るコンテンツ録画再生装置の構成例を示す。図１に示されるように、コンテンツ録画再生装置Ａは、操作入力部１０１、画面出力部１０２、放送受信部１０３、記憶装置１０４、制御部１０５、コンテンツ選択部１０６を備えている。例えば、このようなコンテンツ録画再生装置としてハードディスクレコーダやハードディスク内蔵テレビ等があるが、必ずしもこれに限定されるものではない。
【００１１】
以下、これらの各部について説明する。操作入力部１０１はリモコンやフロントパネルなどであり、利用者が装置Ａを操作する手段である。例えば、図２に示すようなリモコンがある。画面出力部１０２は装置Ａの状態や再生するコンテンツを表示する機能を有する部分である。例えば、実施形態がハードディスクレコーダの場合はテレビモニタに接続するインタフェイスを有しており、テレビモニタに画面出力がなされ、実施形態がハードディスク内蔵テレビである場合は、装置が備えるテレビに画面出力がなされる。
放送受信部１０３は放送からコンテンツを受信する機能を有する。記憶装置１０４は放送受信部１０３で受信したコンテンツを記録する機能を有する部分である。このような記憶装置として、例えばハードディスクや書き込み可能光ディスク等がある。制御部１０５は、操作入力部１０１から入力された操作によって、装置Ａの動作を決定する部分である。
操作入力部１０１にコンテンツ再生の指示が入力されると、制御部１０５は、記憶装置１０４から当該コンテンツを読み込み、画面出力部１０２に出力する。また制御部１０５は、コンテンツを再生している間に操作入力部１０１から入力したマニュアルスキップ指示を計測して、「ながら視聴」モードと通常視聴モードの間で切り替える機能を有する。
マニュアルスキップとはコンテンツをスキップする機能であり、一般にコンテンツの本編以外をスキップする。コンテンツ選択部１０６は装置Ａが「ながら視聴」モードで動作するときに、コンテンツを再生し終わった後、次に再生するコンテンツを選択する機能を有する。
図３に「ながら視聴」に関する装置Ａの設定項目を挙げる。装置Ａは、図４と図５と図９とに示すフローチャートにおいて、図３に示す項目設定の値を参照して動作する。
まず、図４に示すフローチャートを用いて、装置Ａが「通常視聴モード」から「ながら視聴」モードに遷移する動作を示す。操作入力部１０１からの操作によって、制御部１０５がコンテンツを再生開始する（ＳＴ１１）。制御部１０５はコンテンツを再生開始すると、操作入力部１０１からのマニュアルスキップボタンの押下回数を計測開始する（ＳＴ１２）。
【００１２】
コンテンツの再生終了地点に到達する前に、操作入力部１０１からコンテンツ再生停止を指示されると（ＳＴ１３）、「ながら視聴」モードへ遷移する動作を終了する。コンテンツの再生がコンテンツ終了地点に到達するまでに、操作入力部１０１からコンテンツ再生停止が指示されなかったとき（ＳＴ１４）、制御部１０５は、計測したマニュアルスキップボタン押下回数と「ながら視聴」モードへ遷移するための閾値となる規定回数（３０４）を比較する（ＳＴ１５）。
【００１３】
計測したマニュアルスキップボタン押下回数が規定回数未満の場合、先ほど再生したコンテンツを「ながら視聴」済みであると記憶装置１０５に記録して（ＳＴ１６）、後述する図５に示すフローチャートによる方法によって、「ながら視聴」モードで再生するコンテンツの一覧を示すコンテンツリストを作成する（ＳＴ１７）。規定回数未満ではない場合、ＳＴ１１で再生開始したコンテンツが通常視聴済みであることを記憶装置１０５に記録して（ＳＴ１８）、「ながら視聴」モードへ遷移する動作を終了する。
【００１４】
次に、このコンテンツリストにコンテンツが存在するか判断し（ＳＴ１９）、存在する場合は装置Ａを「ながら視聴」モードに遷移させる（ＳＴ２０）。存在しない場合は、「ながら視聴」モードへ遷移する動作を終了する。このようにして、装置Ａを自動的に「ながら視聴」モードに遷移させるため、ユーザはモードの指示を与える手間が省ける。
【００１５】
本実施例ではユーザが「ながら視聴」をしていると判断するためにマニュアルスキップボタンの押下回数を基準とする。ユーザが「ながら視聴」をしていない、すなわち「専念視聴」をしている場合は、一般にリモコン等を操作してマニュアルスキップを行う。したがって、マニュアルスキップボタンを有するコンテンツ録画再生装置の場合、マニュアルスキップボタンの操作入力を監視することで「ながら視聴」をしていると判断することが可能である。
【００１６】
マニュアルスキップボタンに限らず、早送り、巻き戻し、一時停止等といった特定操作入力に表れるユーザのコンテンツ視聴方法によって、「ながら視聴」をしているかどうかを判別することも可能である。
【００１７】
装置Ａを「ながら視聴」モードに遷移させる手段として、前述のマニュアルスキップボタン押下回数を計測する方法だけではなく、明示的に指示を与える手段として、操作入力部１０１に対して、装置Ａを「ながら視聴」モードに遷移させるボタンを用意する方法もある。これは、図２に示すリモコンの「ながら視聴」ボタン２０１が相当し、「ながら視聴」ボタン２０１を押下すると、装置Ａは「ながら視聴」モードに遷移する。
【００１８】
また、装置Ａを「ながら視聴」モードに遷移させる手段として、他にも装置Ａにおいて、装置を操作するメニュー画面を用いる方法もある。これは図１０に示すようなメニュー項目に「ながら視聴」開始を指示する項目を設け、これを選択することによって、装置Ａを「ながら視聴」モードに遷移する方法である。ユーザが操作入力部１０１を操作することで、図１０に示すメニュー項目が画面出力部１０２に表示される。ユーザは操作入力部１０１を操作して、メニューから実行したい機能の項目を選択して決定する。図１０に示すメニュー項目で、網掛けの項目は現在選択されてない項目で、網掛けされていない項目が現在選択されている項目である。
【００１９】
図５は、「ながら視聴」モードで再生するコンテンツの一覧を示すコンテンツリストを作成する手順を記したフローチャートである。コンテンツ選択部１０６は記憶装置１０４に記録されているコンテンツの中から、ユーザが設定した検索範囲に当てはまるコンテンツを抽出する（ＳＴ２１）。この検索範囲は図３の設定値（３０６〜３１１）を用いる。検索したコンテンツをユーザが設定した再生順序でソートしてコンテンツリストを作成する（ＳＴ２２）。この再生順序は図３の設定値（３１２〜３１４）を用いる。
【００２０】
例えば、記憶装置１０５に図６の表に示すようなコンテンツが記録されているとする。この時、検索範囲を、開始時刻が「2007/2/7 12:00」、終了時刻が「2007/2/9 12:00」、ジャンルが「ニュース、ドラマ、スポーツ、娯楽」、ユーザが「Ａさん、Ｂさん、Ｃさん」、通常視聴状態が「視聴済み、未視聴」、ながら視聴状態が「未視聴」、にして、ＳＴ２１で検索範囲に当てはまるコンテンツのみを抽出すると、図７の表が示すコンテンツリストを得ることができる。
【００２１】
ＳＴ２２で図７の表に示すコンテンツリストをユーザが設定した再生順序でソートをする。例えば、再生順序を「録画時刻降順」にしてコンテンツリストをソートすると、図８の表に示すコンテンツリストを得ることができる。こうして得た図８の表に示すコンテンツリストを用いて、「ながら視聴」モードではコンテンツを再生する。
【００２２】
図９のフローチャートを用いて、装置Ａにおける「ながら視聴」モードでコンテンツを再生する動作を示す。制御部１０５は、ＳＴ１６で作成したコンテンツリストの一番上位にあるコンテンツを記憶装置１０４から読み込み、画面出力部１０２に出力するというコンテンツ再生動作を行う（ＳＴ３１）。制御部１０５は、コンテンツを再生すると、操作入力部１０１からのマニュアルスキップボタンの押下回数を計測開始する（ＳＴ３２）。操作入力部１０１からコンテンツ再生停止を指示されると（ＳＴ３３）、制御部１０５は装置Ａを「ながら視聴」モードから通常視聴モードに遷移させて終了する。
【００２３】
コンテンツの再生がコンテンツ終了地点に到達するまでに、操作入力部１０１からコンテンツ再生停止が指示されなかったとき（ＳＴ３４）、制御部１０５は、計測したマニュアルスキップボタン押下回数と「ながら視聴」モードから通常視聴モードを終了するための閾値となる規定回数（３０５）を比較して（ＳＴ３５）、計測したマニュアルスキップボタン押下回数が規定回数未満の場合、「ながら視聴」モードを継続し、規定回数以上の場合、ＳＴ３１で再生したコンテンツを通常視聴済みであると記憶装置１０４に記録して（ＳＴ４０）、装置Ａを「ながら視聴」モードから通常視聴モードに遷移させ終了する。
【００２４】
「ながら視聴」モードを継続した場合、先ほど再生したコンテンツを「ながら視聴」済みであると記憶装置１０４に記録して（ＳＴ３６）、コンテンツリストの一番上位から、先ほど再生し終わったコンテンツを取り除く（ＳＴ３７）。コンテンツリスト、コンテンツが存在する場合は処理ＳＴ３１を実行し、コンテンツが存在しない場合は、装置Ａを「ながら視聴」モードから通常視聴モードに遷移させて終了する（ＳＴ３９）。
【００２５】
また、ＳＴ３１からＳＴ３４の間において、コンテンツ再生中にコンテンツの本編以外の部分が検出されたとき、自動的に装置Ａの出力する音量を下げ、再度コンテンツの本編を検出したときに出力する音量を元に戻す。この動作は、コンテンツの本編以外では、本編と比較して急に入力される音量が上がることによって、「ながら視聴」をしているユーザの他の作業を阻害してしまうことを防いでいる。
【００２６】
次に、「ながら視聴」に関する設定を行う手段について説明する。制御部１０５は「ながら視聴」に関する設定に基づいて「ながら視聴」の開始、継続、終了を判断する。本実施例では、「ながら視聴」に関する設定として、「ながら視聴」モードを開始するためのマニュアルスキップボタン押下回数と、「ながら視聴」モードを終了するためのマニュアルスキップボタン押下回数と、「ながら視聴」モードで再生するコンテンツを記憶装置から検索する範囲と、「ながら視聴」モードでコンテンツを再生する順序と、「ながら視聴」モードそのものを有効にするか無効にするかの設定がある。
【００２７】
また、記憶装置にあるコンテンツについて、「ながら視聴」済みであるかどうかと通常視聴済みであるかどうかを個別に設定する手段と複数のコンテンツを一括して設定する手段を有する。以下、図を用いて「ながら視聴」に関する設定について説明する。
【００２８】
図１１は、「ながら視聴」モードを開始するためのマニュアルスキップボタン押下回数と、「ながら視聴」モードを終了するためのマニュアルスキップボタン押下回数を設定する画面である。本実施例では、コンテンツ長当たりのマニュアルスキップボタン押下回数を設定することができる。これ以外にも、あらかじめコンテンツを録画するときに本編以外の部分の出現の回数を計測しておき、本編以外の部分の出現回数に応じた回数をコンテンツ毎に設定しておく方法などがある。
【００２９】
図１２は、「ながら視聴」モードで再生するコンテンツを記憶装置から検索する場合において、検索範囲を設定する画面である。本実施例では設定項目を、コンテンツを録画開始した時刻を示す「録画開始時刻」と、コンテンツを録画終了した時刻を示す「録画終了時刻」と、コンテンツのジャンルを示す「ジャンル」と、コンテンツを録画したユーザを示す「録画ユーザ」と、コンテンツが通常視聴済みであるかどうかを示す「通常視聴状態」と、コンテンツが「ながら視聴」済みであるかどうかを示す「ながら視聴状態」としたが、必ずしもこれに限定されるものではない。
【００３０】
例えば、図１２では、２００７年２月６日に録画開始されたコンテンツを検索範囲の対象とするように設定している。このように、ながら視聴モードでは、ここで設定した検索範囲に当てはまるコンテンツが再生される。
【００３１】
図１３は、「ながら視聴」モードでコンテンツを再生する順序を設定する画面である。本実施例では設定項目を、録画開始時刻が古いものから再生する「録画時刻昇順」と、録画開始時刻が新しいものから再生する「録画時刻降順」と、ランダムに再生する「ランダム」としたが、必ずしもこれに限定されるものではない。例えば、図１３では、「ながら視聴」モードでコンテンツを再生する順序として、録画時刻昇順を選択している。このように、「ながら視聴」モードでは、ここで設定した再生順序でコンテンツが再生される。
【００３２】
図１４は、「ながら視聴」モードそのものを有効にするか無効にするかを設定する画面を示している。本実施例では設定項目を、「ながら視聴」モードを有効にする「有効」と、「ながら視聴」モードを無効にする「無効」としたが、必ずしもこれに限定されるものではない。例えば、図１４では、「ながら視聴」モードを有効にしている。
【００３３】
図１５は、コンテンツの視聴状態を一括して変更する画面を示している。本実施例では一括して変更するコンテンツの対象として、通常視聴モードで視聴済みであること示す「通常視聴済み」と、通常視聴モードで未視聴であることを示す「通常未視聴」と、「ながら視聴」モードで視聴済みであることを示す「ながら視聴済み」、「ながら視聴」モードで未視聴であることを示す「ながら未視聴」を選択可能としたが、必ずしもこれに限定されるものではない。
【００３４】
また、本実施例では、対象としたコンテンツに対して、「通常視聴済み」にする「通常視聴済みにする」と、「通常未視聴」にする「通常未視聴にする」と、「ながら視聴済み」にする「ながら視聴済みにする」と、「ながら未視聴」にする「ながら未視聴にする」と、コンテンツを記憶装置１０４から削除する「コンテンツを削除する」を適用可能としたが、必ずしもこれに限定されるものではない。ここで、一括変更を適用する項目については、「通常視聴済み」を対象とした場合は「通常視聴済みにする」が項目の選択肢に出ないようにすることもできる。
【００３５】
例えば、図１５では、通常視聴済みコンテンツを一括して、「ながら視聴」済みに変更している。ここで設定した項目がＳＴ２１でコンテンツを検索するときに反映される。
【００３６】
図１６は、コンテンツの視聴状態を個別に変更する画面を示している。本実施例では各コンテンツについて、番組名を示す「番組名」、録画開始時刻を示す「録画開始時刻」、録画終了時刻を示す「録画終了時刻」、コンテンツのジャンルを示す「ジャンル」、録画したユーザを示す「録画ユーザ」、通常視聴済みであるかどうかを示す「通常視聴済み」、「ながら視聴」済みであるかどうかを示す「ながら視聴済み」を選択して変更可能としたが、必ずしもこれに限定されるものではない。
【００３７】
例えば、図１６では、「番組名」が英会話で、「録画開始時刻」が２００７年２月８日１４時３０分、「録画終了時刻」が２００７年２月８日１４時４５分、「ジャンル」が教育、「録画ユーザ」がＣさん、「通常視聴済み」が未視聴、「ながら視聴済み」が視聴済み、であるコンテンツに対して、「ながら視聴済み」を視聴済みから未視聴に変更する画面を示している。ここで設定した項目がＳＴ２１でコンテンツを検索するときに反映される。
【００３８】
以上説明した、本実施例による装置Ａであれば、ユーザの装置Ａに対する操作履歴を参照することで、ユーザは「ながら視聴」の開始と終了のために明示的な指示を出さなくても、自動的に「ながら視聴」モードに入ることができ、連続してコンテンツを視聴することができる。また、あらかじめ「ながら視聴」をするコンテンツを検索する範囲と、再生する順序を設定しておく手段と、コンテンツの視聴状況を変更する手段を提供することで、ユーザが望むコンテンツをユーザが望む順序で「ながら視聴」できる。
【００３９】
また、明示的な指示を出さなくても、自動的に「ながら視聴」モードから抜けることができる。「ながら視聴」と「専念視聴」の視聴済み属性を分けて記録することにより、「ながら視聴」したコンテンツを簡易な手段で一括削除することができる。「ながら視聴」モードでコンテンツを再生しているときにコンテンツの本編以外の部分を検出すると、自動的に装置Ａから出力する音量を下げ、再度コンテンツの本編を検出したときに出力する音量を元に戻すことで、「ながら視聴」をしているユーザの他の作業を阻害させない。
【図面の簡単な説明】
【００４０】
【図１】本発明の実施形態におけるコンテンツ録画再生装置Ａの操作入力、画面出力、放送受信、コンテンツ記録、動作制御、コンテンツ選択を行う機能部の構成を表すブロック図である。
【図２】コンテンツ録画再生装置Ａの操作入力部１０１を表す図である。
【図３】「ながら視聴」モードに関する設定項目の一覧を表す図である。
【図４】コンテンツ録画再生装置Ａを非明示的に「ながら視聴」モードに遷移させるまでの流れを表すフローチャート図である。
【図５】「ながら視聴」モードで再生するコンテンツを記憶装置１０４から検索して、再生する順に並び替えるまでの流れを表すフローチャート図である。
【図６】記憶装置１０４に記録されているコンテンツの一覧を表す図である。
【図７】図６のコンテンツ一覧から「ながら視聴」で再生するコンテンツのみを検索して抽出したコンテンツの一覧を表す図である。
【図８】図７のコンテンツ一覧から「ながら視聴」で再生する順序にコンテンツを並び替えたコンテンツの一覧を表す図である。
【図９】「ながら視聴」モードでコンテンツを自動再生することと、非明示的に「ながら視聴」モードから通常視聴モードに遷移させるまでの流れを表すフローチャート図である。
【図１０】コンテンツ録画再生装置Ａを明示的に「ながら視聴」モードに遷移させる機能をメニューから選択できることを表す図である。
【図１１】「ながら視聴」モードの遷移に必要なマニュアルスキップボタン押下回数をユーザが設定する画面を表す図である。
【図１２】「ながら視聴」モードで再生するコンテンツを記憶装置１０４から検索するときの範囲をユーザが設定する画面を表す図である。
【図１３】「ながら視聴」モードでコンテンツを再生する順序をユーザが設定する画面を表す図である。
【図１４】「ながら視聴」モードを有効にするか無効にするかをユーザが設定する画面を表す図である。
【図１５】記憶装置１０４に記録されたコンテンツの視聴状態をユーザが一括して変更する画面を表す図である。
【図１６】記憶装置１０４に記録されたコンテンツの視聴状態をユーザが個別に変更する画面を表す図である。
【符号の説明】
【００４１】
１０１…操作入力部、１０２…画面出力部、１０３…放送受信部、１０４…記憶装置、１０５…制御部、１０６…コンテンツ選択部、２０１…ながら視聴ボタン、２０２…マニュアルスキップボタン、３０１…規定回数、３０２…検索範囲、３０３…再生順序、３０４…開始規定回数、３０５…終了規定回数、３０６…録画開始時刻、３０７…録画終了時刻、
３０８…ジャンル、３０９…録画ユーザ、３１０…通常視聴状態、３１１…ながら視聴状態、３１２…録画時刻昇順、３１３…録画時刻降順、３１４…ランダム
【図１】
2009010439.tif 000003
【図２】
2009010439.tif 000004
【図３】
2009010439.tif 000005
【図４】
2009010439.tif 000006
【図５】
2009010439.tif 000007
【図６】
2009010439.tif 000008
【図７】
2009010439.tif 000009
【図８】
2009010439.tif 000010
【図９】
2009010439.tif 000011
【図１０】
2009010439.tif 000012
【図１１】
2009010439.tif 000013
【図１２】
2009010439.tif 000014
【図１３】
2009010439.tif 000015
【図１４】
2009010439.tif 000016
【図１５】
2009010439.tif 000017
【図１６】
2009010439.tif 000018